(57)【要約】【課題】  特定の人物が所有する携帯電話機の位置を知る為には、必要な時にその都度位置検索の問い合わせを行う必要がある。【解決手段】  携帯電話機の使用者が自身から一定の距離に近づいて欲しくない人物の携帯電話機をアドレス帳に登録することで、サーバにその人物の携帯電話機の情報が登録される。登録された携帯電話機と登録を行った携帯電話機とが予め定めた一定の距離以内に近づくと、サーバから登録を行った携帯電話機に対して通知にメールが発信され、登録を行った携帯電話機の使用者は、登録された携帯電話機の使用者が近くにいることを知ることができる。またメールに添付された地図から相手との位置関係を知ることもできる。【選択図】  図１
2006093786.tif 000002
【特許請求の範囲】
【請求項１】
複数の携帯電話機、前記携帯電話機の位置の情報を管理する位置情報サーバ及び前記位置の情報を保持するデータ管理用サーバを有するシステムであって、
前記携帯電話機は、他の携帯電話機を前記データ管理用サーバに登録する手段を有し、
前記位置情報サーバは、
登録を行った携帯電話機及び登録された携帯電話機の位置を検出する手段と、
前記登録を行った携帯電話機と前記登録された携帯電話機との距離を計算し、所定の距離と比較する手段と、
前記２つの携帯電話機間の距離が前記所定の距離より短かった場合に、前記登録を行った携帯電話機に通知のメールを送信する手段とを有することを特徴とする携帯電話機位置情報管理システム。
【請求項２】
前記データ管理用サーバは携帯電話機の位置の履歴を保持し、前記位置情報サーバは前記位置の履歴から携帯電話機の移動を予測する手段を更に有することを特徴とする請求項１に記載の携帯電話機位置情報管理システム。
【請求項３】
前記通知のメールは２つの携帯電話機の位置を示した地図を有することを特徴とする請求項１に記載の携帯電話機位置情報管理システム。
【請求項４】
前記携帯電話機は、メール着信報知の仕方を登録された携帯電話機毎に設定することを特徴とする請求項３に記載の携帯電話機位置情報管理システム。
【請求項５】
複数の携帯電話機、前記携帯電話機の位置の情報を管理する位置情報管理サーバを有するシステムであって、
前記携帯電話機は、他の携帯電話機を前記位置情報管理サーバに登録する手段を有し、
前記位置情報管理サーバは、
登録を行った携帯電話機及び登録された携帯電話機の位置を検出する手段と、
前記登録を行った携帯電話機と前記登録された携帯電話機との距離を計算し、所定の距離と比較する手段と、
前記２つの携帯電話機間の距離が前記所定の距離より短かった場合に、前記登録を行った携帯電話機に通知のメールを送信する手段とを有することを特徴とする携帯電話機位置情報管理システム。
【請求項６】
前記位置情報管理サーバは携帯電話機の位置の履歴を保持する記憶手段と、前記位置の履歴から携帯電話機の移動を予測する手段を更に有することを特徴とする請求項５に記載の携帯電話機位置情報管理システム。
【請求項７】
前記通知のメールは２つの携帯電話機の位置を示した地図を有することを特徴とする請求項５に記載の携帯電話機位置情報管理システム。
【請求項８】
前記携帯電話機は、通知のメールの着信を報知する仕方を登録された携帯電話機毎に設定することを特徴とする請求項７に記載の携帯電話機位置情報管理システム。
【請求項９】
携帯電話機の位置を検出する手段と、
２つの携帯電話機間の距離を計算し、所定の距離と比較する手段と、
前記２つの携帯電話機の距離が前記所定の距離より短かった場合に、一方の携帯電話機に通知のメールを送信する手段とを有することを特徴とする携帯電話機位置情報管理サーバ。
【請求項１０】
携帯電話機の位置の履歴を保持する記憶手段を更に有することを特徴とする請求項９に記載の携帯電話機位置情報管理サーバ。
【請求項１１】
前記位置の履歴から、携帯電話機の移動を予測する手段を更に有することを特徴とする請求項１０に記載の携帯電話機位置情報管理サーバ。
【請求項１２】
前記記憶手段は、携帯電話機から他の携帯電話機の登録を受け付けて、該他の携帯電話機の情報を保持することを特徴とする請求項１０に記載の携帯電話機位置情報管理サーバ。
【請求項１３】
携帯電話機が、他の携帯電話機をサーバに登録するステップと、
前記サーバが、登録を行った携帯電話機及び登録された携帯電話機の位置を検出するステップと、
前記サーバが、登録を行った携帯電話機と登録された携帯電話機との距離を計算するステップと、
前記サーバが、前記２つの携帯電話機間の距離が所定の距離より短い場合に、前記登録を行った携帯電話機にメールを送信するステップとを有することを特徴とする携帯電話機位置情報管理方法。
【請求項１４】
携帯電話機が、他の携帯電話機をサーバに登録するステップと、
前記サーバが、登録を行った携帯電話機及び登録された携帯電話機の位置を検出するステップと、
前記サーバが、位置の履歴から携帯電話機の移動を予測するステップと、
前記サーバが、前記登録を行った携帯電話機に予測した内容を送信するステップとを有することを特徴とする携帯電話機位置情報管理方法。
【請求項１５】
サーバに、
携帯電話機の位置を検出する処理と、
２つの携帯電話機間の距離を計算する処理と、
前記２つの携帯電話機間の距離が所定の距離より短い場合に、一方の携帯電話機にメールを送信する処理とを行わせる為の携帯電話機位置情報管理プログラム。
【請求項１６】
前記サーバに、
携帯電話機の位置の履歴から、該携帯電話機の移動を予測する処理と、
予測した内容を１つの携帯電話機に通知する処理とを更に行わせることを特徴とする請求項１５に記載の携帯電話機位置情報管理プログラム。
【発明の詳細な説明】
【技術分野】
【０００１】
本発明は、携帯電話機の位置を検出し、２つの携帯電話機が所定の距離以内に近づいた場合に、一方の携帯電話機に通知を行う携帯電話機位置情報管理システム、サーバ、方法及びプログラムに関する。
【背景技術】
【０００２】
従来、自己位置測位可能な携帯電話機においては、第３者の位置を知ることができる。これは要求者が第３者検索を要求することにより、位置情報サーバを介して相手の携帯電話機の位置を知ることができるものである。
【０００３】
第３者が近辺に存在するかを探索する従来技術として、特許文献１を挙げる。特許文献１では、友人等が自身の近辺にいるかどうか探索し、自身と相手との距離を測定するシステムを開示している。また探索を受ける側で、探索の受け入れ又は拒否を選択できるようにされている。
【０００４】
位置の検索に関する従来技術として、特許文献２及び３を挙げる。特許文献２では、位置の検索を行い、通信相手の選定のために自身と通信相手候補者との距離を算出している。特許文献３では、通信相手を複数の認証レベルに分類し、通信相手からの要求に対して認証レベルに応じて自己の位置情報の詳細を変化させる方法を開示している。
【特許文献１】特開２００３−１１６１６９号公報
【特許文献２】特開２００３−２５９０１１号公報
【特許文献３】特開２００３−０２１５３４号公報
【発明の開示】
【発明が解決しようとする課題】
【０００５】
しかし特定の携帯電話機に対して頻繁に位置情報を得たい場合は、いちいち第３者検索をかけなければならず、迷惑行為を行うストーカー（つきまとい、待ち伏せ、押しかけ等の行為を繰り返し行う者）など遭遇したくない相手と近づかないようにするためには、常に第３者検索要求をかけて相手の位置を確認するなど手間と通信費がかかっていた。
【０００６】
上記問題点に鑑み、本発明は、迷惑行為を行う者が自身から一定の距離に近づいたことを自動的に知ることができるシステムを提供することを目的とする。
【課題を解決するための手段】
【０００７】
上記問題を解決する為に、本発明の携帯電話機位置情報管理システムは、複数の携帯電話機、携帯電話機の位置の情報を管理する位置情報サーバ及び位置の情報を保持するデータ管理用サーバを有するシステムであって、携帯電話機は、他の携帯電話機をデータ管理用サーバに登録する手段を有し、位置情報サーバは、携帯電話機の位置を検出する手段と、２つの携帯電話機の距離を計算し、所定の距離と比較する手段と、２つの携帯電話機の距離が所定の距離より短かった場合に登録を行った携帯電話機に通知のメールを送信する手段とを有することを特徴とする。位置情報サーバ及びデータ管理用サーバは１つのサーバで構成されてもよい。本発明の携帯電話機位置情報管理サーバは携帯電話機の位置の履歴からその携帯電話機の動きを予測する手段を更に有していてもよい。
【発明の効果】
【０００８】
本発明によれば、以下のような発明の効果を得ることができる：
（１）２つの携帯電話機が所定の距離より近づいた場合に、一方の携帯電話機に注意を促すメールが送信されることで、システムの利用者はストーカー行為などを行うものが近くにいることを知ることができ、これに対する警戒、防御等の対策を考える時間を持つことができる。
（２）本システムは、位置情報の履歴から予測を立て、これをシステムの利用者に知らせることにより、システムの利用者はストーカー行為者等に対する警戒、防御等の対策を講じることができる。
（３）迷惑行為者の携帯電話機が予め決めておいた範囲内に入ったことが察知されると、位置情報サーバから、地図情報を添付して接近通知メールが送信される為、システムの利用者は画面上で詳細な位置関係を知ることができる。
（４）本システムは、複数の携帯電話機を警告通知の対象として登録することが可能な為、より多くの情報を得ることができる。
（５）利用者は予めアドレス帳にて相手別に警告音を指定することができるので、携帯電話機の画面を見なくても接近する相手を知ることができる。
【発明を実施するための最良の形態】
【０００９】
以下のように迷惑行為者の携帯電話機の接近を知ることができるシステムを構築する。
【実施例１】
【００１０】
本発明の実施例の構成について図面を参照しながら説明する。
参照図面は、図１の本発明におけるシステム構成図と、図２の本発明における携帯電話機の構成を示す図と、図３の本発明における携帯電話機内のアドレス帳の構成例を示す図である。
【００１１】
本発明は、図１に示すような例えばＧＰＳなどを使って自己位置測位を行ったり、サーバによって行われた測位の情報を受信したりする携帯電話機１１と、位置情報サービスを提供する位置情報サーバ１２と、位置情報データを管理するデータ管理用サーバ１４と、接近を報知する対象となる携帯電話機１３から構成される。位置情報サーバ１２とデータ管理用サーバ１４の機能は１つのサーバで実現されてもよい。
【００１２】
位置情報サービスを提供する位置情報サーバ１２は、位置検索サービスなどの中継サーバである。予め携帯電話機１１は、携帯電話機１３を位置情報サーバのデータ管理用サーバ１４に登録しておく。データ管理用サーバは、位置情報サービスを利用する携帯電話機の位置情報を管理しているので、携帯電話機１３と要求元の携帯電話機１１の位置関係を把握することが可能である。そこで、携帯電話機１３と携帯電話機１１がある範囲内に接近したことを感知すると、携帯電話機１１に対して位置関係を示した地図を添付したメールを送信する。以下このメールを「接近通知メール」と呼ぶことにする。
【００１３】
携帯電話機１１に対する通知は両者の距離に応じて複数の段階に分けられていてもよい。例えば迷惑行為者との距離を２段階に分けて、第１段階の距離では地図を添付しない接近通知メールを送信し、第２段階では地図を添付した接近通知メールを送信するようにしてもよい。
【００１４】
図２の本発明における携帯電話機の構成を簡単に示す図は、自己位置測位が可能な携帯電話機１１の内部の構成を示したものである。
携帯電話機１１は、位置情報サーバ１２からの接近通知メールを受信する無線制御部２２と、各回路を制御する制御部２１を有する。電話番号やメールアドレスなどを記憶するアドレス帳２７には、予め警告通知を受けたい相手を指定しておく。アドレス帳の該当者には警告通知の対象となる者を表す印を付ける（フラグを立てる）などして指定すればよい。印を付すことにより、データ管理用サーバ１４のアドレスに該当者のデータが送信されるように構成してもよい。
【００１５】
また通知メールを受信した際に、相手をＣＬＩ表示する（送信者を表示する）指定と接近通知メール受信時の警告ＬＥＤ色指定と受信警告音を指定する機能を持つ。その他、携帯電話機としての機能と位置情報に関する設定を記憶しておく記憶領域ＲＡＭ２３と、プログラムを記録しておくプログラム領域ＲＯＭ２４と携帯電話機を操作するための操作部２５とＧＰＳなどの測位機構２６から構成される。
【００１６】
図３の本発明における携帯電話機内のアドレス帳の構成例を簡単に示す図は、携帯電話機１１が、アドレス帳内にて本システムの機能に対応する設定値を予め指定しておくことができることを示したものである。
アドレス帳に指定する内容は、「名前」、数種の「電話番号」、数種の「メールアドレス」、「着信音」、「着信ＬＥＤ」、「ＣＬＩ」、「警告通知を受けたい相手」、位置情報サーバから接近通知メールを受信した際の「警告音」、「警告ＬＥＤの点灯有無」や通知メールに地図を添付してもらうための「携帯電話機１１と対象携帯電話機１３の距離」であり、ユーザごとに指定することができる。
【００１７】
本発明の動作について図面を参照しながら説明する。
参照図面は、図１の本発明におけるシステム構成図と図２の本発明における携帯電話機の構成を示す図と図４の実施例の動作を説明するフローチャートと図５の本発明の動作を説明するシーケンス図である。
【００１８】
特定した相手が接近したことの通知を受けるために、携帯電話機１１は、対象となる携帯電話機１３を予めデータ管理用サーバ１４に登録しておく。登録する方法としては、電話申し込み、メール、位置情報サービスの情報送信時にコメント欄に記載するなど、携帯電話機から可能な方法にて登録する。
【００１９】
データ管理用サーバ１４は、携帯電話機１３の位置と携帯電話機１１の位置を管理または位置検出することにより、双方の位置を把握する。もしも両者が特定範囲内に接近したことを認識すると、データ管理用サーバ１４は、メールで携帯電話機１１に通知する。
【００２０】
携帯電話機１１の利用者が移動している場合は、警告を発する距離は移動する利用者から測定された距離になる。すなわち、この相対的な距離が警告音発生を判断する対象になる。携帯電話機１１の利用者が停止していると見なされる場合、例えば家の中などの狭い範囲を移動するだけの場合などは、建物の住所から一定の距離を警告発生の判定を行うための距離とすればよい。
【００２１】
接近通知メールを受信した携帯電話機１１は、受信したメールの内容から接近通知メールであることが分かると、予めアドレス帳にユーザごとに登録しておいた警告音および警告ＬＥＤを発して利用者に伝える。その後も位置情報サーバ１２とデータ管理用サーバ１４は、両者間の距離を測定し、予め登録していた距離内に両者が接近したことを認識すると、位置情報サーバ１２から、両者の位置が分かる地図が添付された接近通知メールを送信することにより、より詳細な位置関係を知ることができる。
【００２２】
図１の本発明におけるシステム構成図と、図２の本発明における携帯電話機の構成を簡単に示す図と、図４の実施例の動作を説明するフローチャートを参照しながら、本発明の動作を説明する。
【００２３】
本発明の要求携帯電話機１１は、予めアドレス帳のユーザ設定において警告設定指定を行う。携帯電話機１１は、位置情報サービス利用時に、アドレス帳において警告指定した携帯電話機１３の登録通知を行う。このとき、すでに通知登録してある場合は登録通知を行わず、アドレス帳の設定に変更がある場合のみ登録通知を行う。位置情報サーバ１２は、位置情報を利用している携帯電話機１１と携帯電話機１３の位置を検出し、データ管理用サーバ１４に登録する。携帯電話機１１と携帯電話機１３が接近したことを察知した場合（登録時に指定した距離内に入ったことを察知した場合）、携帯電話機１１に対して「接近通知メール」を送信する。
【００２４】
携帯電話機１１は、無線制御部２２を通して受信したメールの中に接近通知メールがあることをsubjectなどから判断する（ステップ４１）。受信メールが接近通知メールではなかったときには、通常のメールとしてアドレス帳に指定した着信処理を行う（ステップ４２）。受信した接近通知メールのsubjectに記載された文字から、どの対象携帯電話機についての通知であるか読み取り、アドレス帳内に登録している該当携帯電話機の指定内容通り、警告音、着信ＣＬＩ、警告ＬＥＤを動作させる（ステップ４４）。アドレス帳２７内にて警告音や警告ＬＥＤなどが指定されていなければ通常のメール着信音と着信ＬＥＤを鳴音させる（ステップ４５）。どちらにしても予めアドレス帳で指定した内容どおりの着信処理を行う。次に携帯電話機１１は、接近通知メールに地図が添付されているか確認する（ステップ４６）。地図が添付されていれば、添付された地図を画面上に表示する（ステップ４７）。要求携帯電話機の使用者は、画面上の地図から、自己位置と対象携帯電話機の位置関係を知ることができ、遭遇を回避するための検討を行うことができる。
【００２５】
図５の動作シーケンスを参照しながら、本位置情報システムの流れを説明する。
携帯電話機１１は、位置情報サービスを利用する際に（ステップ５１）、予めデータ管理用サーバ１４に対して、アドレス帳に登録した警告指定対象の携帯電話機のうち、サーバに接近通知登録をしていない未登録の携帯電話機を登録する（ステップ５２）。携帯電話機１１は、位置情報サービスを利用する際にその通信ルートを利用して自動的に登録する（ステップ５３）。このとき、接近通知メール送信を希望する接近距離や、地図添付を希望する接近距離なども登録しておく。登録する方法としては、電話申し込み、メール、位置情報サービスの情報送信時にコメント欄に記載するなど、携帯電話機から可能な方法にて登録する。
【００２６】
位置情報サーバ１２は、携帯電話機１１からの登録内容をデータ管理用データベース１４に登録しておく（ステップ５４）。位置情報サーバは、登録が完了すると登録完了通知を携帯電話機へ送信する（ステップ５５）。位置情報サーバは、対象の携帯電話機の位置を検出するために、位置情報サーバは携帯電話機１３に対して測位処理を行い（ステップ５６）、データ管理用サーバ１４に位置の履歴を保存する。次に携帯電話機１１の位置を検出するために、携帯電話機に対して測位処理を行い（ステップ５７）、データ管理用サーバ１４に位置履歴を保存する。この時、位置情報サーバ１２は、双方の距離を割り出し、予め指定していた接近通知メール送信対象距離内にいるか確認する（ステップ５８）。双方の位置関係が地図送付対象の範囲内でなければ接近通知メールには地図を添付せずに携帯電話機１１に対して送信する（ステップ５９）。
【００２７】
接近通知メールを受信した携帯電話機１１は、地図が添付されていないことを知ると、アドレス帳２７で指定した警告音および警告ＬＥＤを鳴音させる（ステップ５ａ）。予め指定したタイマーにより、位置情報サーバ１２は、携帯電話機１１と携帯電話機１３の位置検出のため測位処理を行い（ステップ５ｂ，ステップ５ｃ）、地図添付を強制する範囲内まで近づいたことを確認すると（ステップ５ｄ）、携帯電話機１１に対して、地図を添付した接近通知メールを送信する（ステップ５ｅ）。地図が添付された接近通知メールを受信した携帯電話機は、アドレス帳２７内で指定した警告音および警告ＬＥＤを鳴音するとともに（ステップ５ｆ）、添付された地図を画面上に表示する（ステップ５ｇ）。
【００２８】
以下図６を用いて、位置情報サーバ１２の構成の一例を説明する。
この例では位置情報サーバ１２は受信部６０、照会部６１、位置検出部６２、距離判定部６３及び送信部６４を有する。
受信部６０は携帯電話機１１から送られてくる情報を受け付けて、照会部６１に送る。携帯電話機１１から登録の要求があった場合には、登録する情報をデータ管理用サーバ１４に送る。
照会部６１はデータ管理用サーバ１４に登録された情報を参照して、受信部６０にて受信された携帯電話の中に、データ管理用サーバ１４に利用者として登録された携帯電話機１１と迷惑行為者として登録された携帯電話機１３の対があるか照会を行う。該当する対があった場合には位置検出部６２にそれぞれの携帯電話機の識別番号を通知する。
位置検出部６２は受信部６０で受信された情報から携帯電話機の位置を検出する。検索された位置の情報はデータ管理用サーバ１４に履歴として保持される。また位置検出部６２は照会部６１から携帯電話機の識別番号を受け取ると、その識別番号に対応する携帯電話機の位置情報を距離判定部６３に送る。
距離判定部６３は位置検出部６２から送られてきた位置情報から携帯電話機間の距離を算出する。携帯電話機間の距離がアドレス帳２７で指定した値より小さければ、距離判定部６３は送信部６４に電子メール（接近通知メール）を利用者に送信するように要求する。距離判定部６３は必要に応じてデータ管理用サーバ１４から地図を取り出して送信部６４に送る。利用者は電話番号やメールアドレスの分かっている相手の位置を知ることができるが、無制限に知ることができるわけではなく、距離判定部６３により許可された範囲で相手の位置が分かるだけである。
送信部６４は距離判定部６３からの通知を受けて携帯電話機１１に接近通知メールを送信する。
【００２９】
図７は位置情報サーバ１２とデータ管理用サーバ１４とが一つのサーバとして構成された位置情報管理サーバ１５を示す。位置情報管理サーバ１５は携帯電話機の情報を保持する記憶部６５を有している。
【００３０】
図８はデータ管理用サーバ１４に保持されるデータベースの構成例を示す図である。このシステムの利用者の携帯電話機及び検索の対象としたい迷惑行為者の携帯電話機が対にして登録され、それらの位置情報の履歴が保持される。
【００３１】
以上の動作に加えて、携帯電話機１３が予め指定した範囲の外に出た場合に、携帯電話機１に携帯電話機１３との距離が指定範囲外になったことを通知するメールを送るようにしてもよい。また、携帯電話機１１と携帯電話機１３との距離が指定範囲外である状態が所定の時間継続された場合に通知のメールが送信されるようにしてもよい。
【００３２】
またデータ管理サーバからのメールによる通知以外にも、携帯電話機１１からＷＥＢサイトに接続し、地図を含めて携帯電話機１１の位置を確認するようにしてもよい。
【００３３】
本実施例によれば、現在利用している位置情報サーバ及び既存のアドレス帳を利用することで、端末には新たな仕組みや機能を実装せずに、所望の情報を入手することができる。また、本システムにおけるデータ管理用サーバは、携帯電話機が位置情報を利用した際に登録した位置情報を用いて処理することが可能な為、対象となる携帯電話機に対して測位要求をかける必要がない。
【実施例２】
【００３４】
第２の実施例ではデータ管理サーバ１４上に登録された携帯電話機１３及び携帯電話機１１の測位履歴から、いつ頃どの辺りで遭遇するかという予測をたて、双方が遭遇する場所と予想時間を通知する。
【００３５】
図９を用いて第２の実施例を説明する。図９は図６に示した第１の実施例の構成に予測部６６が付加されている。
予測部６６はデータ管理用サーバ１４に保持された履歴から携帯電話機の移動速度や移動方向などを算出して、利用者と迷惑行為者とが出会うと思われる時刻及び場所を利用者に通知するデータを作成する。作成されたデータは送信部６４に送られる。
送信部６４は予測部６６から受け取った情報を携帯電話１１に送信する。
【００３６】
データ管理サーバ１４は両者の平均速度を算出するとともに、携帯電話機１１又は携帯電話機１３の移動方向を予測する。両者の平均速度は測位履歴から算出し、携帯電話機１１又は携帯電話機１３の移動方向については測位履歴から得られる移動方向のベクトルを平均することでおおよその移動方向を割り出す。
【００３７】
携帯電話機１１の移動方向、両者の移動速度及び予想時の両者の距離（予想時の両者の位置）から、最短で何メートル移動後に両者が出会うかの予測が立てられる。携帯電話機１１が停止している場合、又は狭い範囲で動いていて移動がないと見なされる場合には携帯電話機１３の移動方向及び移動速度を利用すればよい。或いは携帯電話機１１の移動方向と両者の移動速度を用いて、地図上で両者の動きをシミュレートしてもよい。
【００３８】
また、両者の相対的な位置関係に注目し、ある距離が短縮されるのにどの位の時間を要したかを測位履歴から算出して、残りの距離から双方が遭遇する時間を予想することもできる。携帯電話機１１の移動速度及びおおよその移動方向を上記のようにして割り出しておけば、双方が遭遇する場所も予想することができる。携帯電話機１１が停止している場合、又は停止していると見なされる場合には携帯電話機１３の移動速度及び移動方向を用いればよい。
【００３９】
また、両者又は一方の位置を検出できない場合であっても、データ管理用サーバ１４に登録された測位履歴を参照し、過去のある時刻の両者の位置や移動速度等から両者の接近する位置や時間を予測し、接近通知メールを送信するようにしてもよい。
【００４０】
本実施例によれば、システムの利用者は予想された結果を見ることで、迷惑行為者との遭遇を回避する方法を考慮する時間を持つことができる。
【産業上の利用可能性】
【００４１】
本発明は自宅のセキュリティシステムの一部に組み込むことも可能である。
【図面の簡単な説明】
【００４２】
【図１】本発明によるシステムの構成を示す図である。
【図２】本発明における携帯電話機の構成を示す図である。
【図３】携帯電話機内のアドレス帳を示す図である。
【図４】携帯電話機から見た本発明の動作を示すフローチャートである。
【図５】本発明の動作を説明するシーケンス図である。
【図６】第１の実施例における位置情報サーバの構成を示す図である。
【図７】本発明における位置情報管理サーバの構成を示す図である。
【図８】位置情報管理サーバの記憶部又はデータ管理用サーバに保持されるデータの構成を示す図である。
【図９】第２の実施例における位置情報サーバの構成を示す図である。
【符号の説明】
【００４３】
１１    携帯電話機
１２    位置情報サーバ
１３    携帯電話機
１４    データ管理用サーバ
１５    位置情報管理サーバ
２１    制御部
２２    無線制御部
２７    アドレス帳
６１    照会部
６２    位置検出部
６３    距離判定部
６５    記憶部
６６    予測部
【図１】
2006093786.tif 000003
【図２】
2006093786.tif 000004
【図３】
2006093786.tif 000005
【図４】
2006093786.tif 000006
【図５】
2006093786.tif 000007
【図６】
2006093786.tif 000008
【図７】
2006093786.tif 000009
【図８】
2006093786.tif 000010
【図９】
2006093786.tif 000011